(57)【要約】【課題】火炎に晒されても貫通しにくい樹脂製建具を提供する。【解決手段】室内外を連通する開口を閉塞可能であり、枠組みされた樹脂製の框体内にガラスを備えた樹脂製建具であって、前記ガラスと前記框体との間に設けられ前記ガラスの室内外方向と直交する面内方向の移動を規制するためのセッティングブロックと、前記ガラスと前記框体との間に設けられ、加熱されて膨張する熱膨張性部材と、を備え、前記セッティングブロックは、室内外方向において前記ガラスの厚みより薄く形成されており、前記セッティングブロックが設けられている部位では、当該セッティングブロックと前記熱膨張性部材とが室内外方向に並べて設けられている。【選択図】図５
2010248836.tif 000002
【特許請求の範囲】
【請求項１】
室内外を連通する開口を閉塞可能であり、枠組みされた樹脂製の框体内にガラスを備えた樹脂製建具であって、
前記ガラスと前記框体との間に設けられ前記ガラスの室内外方向と直交する面内方向の移動を規制するためのセッティングブロックと、
前記ガラスと前記框体との間に設けられ、加熱されて膨張する熱膨張性部材と、を備え、
前記セッティングブロックは、室内外方向において前記ガラスの厚みより薄く形成されており、
前記セッティングブロックが設けられている部位では、当該セッティングブロックと前記熱膨張性部材とが室内外方向に並べて設けられていることを特徴とする樹脂製建具。
【請求項２】
請求項１に記載の樹脂製建具であって、
前記熱膨張性部材は、前記框体の全周に亘って設けられていることを特徴とする樹脂製建具。
【請求項３】
請求項１または請求項２に記載の樹脂製建具であって、
前記ガラスは、室内外方向に対面して互いに間隔を隔てた２枚のガラス板の周端部にシール部材を介して一体に形成された複層ガラスであり、
前記セッティングブロックは、前記２枚のガラス板の一方が当接され、
前記熱膨張性部材は、前記シール部材と対向していることを特徴とする樹脂製建具。
【請求項４】
請求項３に記載の樹脂製建具であって、
前記セッティングブロックは樹脂製であり、
前記セッティングブロックと前記２枚のガラス板の端部と互いに間隔を隔てて対向する金属製のブロック部材とが、室内外方向と直交する見付け方向に並べて設けられていることを特徴とする樹脂製建具。
【請求項５】
請求項４に記載の樹脂製建具であって、
前記ブロック部材と前記ガラスとの間に前記熱膨張性部材が設けられていることを特徴とする樹脂製建具。
【請求項６】
請求項１乃至請求項５のいずれかに記載の樹脂製建具であって、
前記ガラスの室内または室外に臨む一方の面と対面する第１対面部を有し前記框体に固定される金属製の固定金具と、
前記ガラスの室内または室外に臨む他方の面と対面する第２対面部を有し前記固定金具に係止される金属製の係止金具と、
を有することを特徴とする樹脂製建具。
【請求項７】
請求項６に記載の樹脂製建具であって、
前記ガラスの端部と前記ブロック部材との間隔は、前記第１対面部及び前記第２対面部と前記ガラスとが対面している部位における前記ガラス端部からの幅より小さいことを特徴とする樹脂製建具。
【発明の詳細な説明】
【技術分野】
【０００１】
本発明は、ガラスを備えた樹脂製建具に関する。
【背景技術】
【０００２】
従来、ガラスを備えた樹脂製建具としては、例えば、合成樹脂製のサッシ枠と合成樹脂製の押縁とにガラスパネルが保持された樹脂サッシが知られている(例えば、特許文献１参照)。このような樹脂サッシは、ガラスの下側に配置されるサッシ枠上に設けられた支持部材にガラスパネルが載置されている。
【先行技術文献】
【特許文献】
【０００３】
【特許文献１】実開平１−８２２９２号公報
【発明の概要】
【発明が解決しようとする課題】
【０００４】
樹脂製建具において防火性能が問われる場合には、所定の防火試験において建具の一方側が火炎に晒された状態にて所定時間内に、他方側に炎の噴出がないこと、また、他方側から一方側の炎が見えないこと（貫通しないこと）等が要求される。上記従来の樹脂サッシは、ガラスパネルを保持するサッシ枠及び押縁がいずれも合成樹脂製なので、樹脂サッシが火炎に晒されると、サッシ枠及び押縁が溶融されて変形したり燃焼することにより、火炎が容易に貫通してしまう虞がある。
【０００５】
本発明は、かかる課題に鑑みてなされたものであり、その目的とするところは、火炎に晒されても貫通しにくい樹脂製建具を提供することにある。
【課題を解決するための手段】
【０００６】
かかる目的を達成するために本発明の樹脂製建具は、室内外を連通する開口を閉塞可能であり、枠組みされた樹脂製の框体内にガラスを備えた樹脂製建具であって、前記ガラスと前記框体との間に設けられ前記ガラスの室内外方向と直交する面内方向の移動を規制するためのセッティングブロックと、前記ガラスと前記框体との間に設けられ、加熱されて膨張する熱膨張性部材と、を備え、前記セッティングブロックは、室内外方向において前記ガラスの厚みより薄く形成されており、前記セッティングブロックが設けられている部位では、当該セッティングブロックと前記熱膨張性部材とが室内外方向に並べて設けられていることを特徴とする樹脂製建具である。
【０００７】
このような樹脂製建具によれば、ガラスと框体との間に熱膨張性部材が設けられているので、火炎等に晒された場合には火炎の熱により熱膨張性部材が膨張することによりガラスと框体との間が貫通することを抑えることが可能である。また、少なくともガラスの厚みより薄く形成されたセッティングブロックが設けられている部位では、当該セッティングブロックと熱膨張性部材とが室内外方向に並べて設けられているので、セッティングブロックが設けられている部位においてもガラスと框体との間が貫通することを抑えることが可能である。
【０００８】
かかる樹脂製建具であって、前記熱膨張性部材は、前記框体の全周に亘って設けられていることが望ましい。  
このような樹脂製建具によれば、ガラスと框体との間に全周に亘って熱膨張性部材が設けられるので、火炎による熱にて熱膨張性部材が膨張されることによりガラスと框体との間が全周に亘って膨張した熱膨張性部材にて塞がれることになる。このため火炎が噴出しにくく、また、貫通し難い樹脂製建具を提供することが可能である。ここで、全周に亘って設けられている熱膨張性部材は、必ずしも繋がっている必要はなく、膨張した際に全周に亘ってほぼ隙間ができないように設けられていても構わない。
【０００９】
かかる樹脂製建具であって、前記ガラスは、室内外方向に対面して互いに間隔を隔てた２枚のガラス板の周端部にシール部材を介して一体に形成された複層ガラスであり、前記セッティングブロックは、前記２枚のガラス板の一方が当接され、前記熱膨張性部材は、前記シール部材と対向していることが望ましい。  
このような樹脂製建具によれば、セッティングブロックが２枚のガラス板の一方に当接されており、熱膨張性部材は２枚のガラスの間に設けられたシール部材と対向しているので、２枚のガラス板が一体となった複層ガラスの位置を規制しつつ、熱膨張性部材が膨張した際には複層ガラスのシール部材が露出している部位を膨張した熱膨張性部材にて覆うことが可能である。このため、火炎がシール部材に到達しないのでシール部材が加熱されにくく、シール部材からの可燃ガスの発生を抑えることが可能である。
【００１０】
かかる樹脂製建具であって、前記セッティングブロックは樹脂製であり、前記セッティングブロックと前記２枚のガラス板の端部と互いに間隔を隔てて対向する金属製のブロック部材とが、室内外方向と直交する見付け方向に並べて設けられていることが望ましい。  
このような樹脂製建具によれば、金属製のブロック部材は、セッティングブロックと見付け方向に並べて配置されているので、ガラスがセッティングブロックに支持された通常の状態ではブロック部材はガラス板に当接されない。このため、通常の状態では、セッティングブロックにてガラスの位置を規制して適切な位置にガラスを配置することが可能である。  
また、セッティングブロックは樹脂製なので、火炎の熱により変形したり消失する虞があるが、金属製のブロック部材が見付け方向に並べて設けられているので、セッティングブロックが消失し、ガラスが面内方向へ移動したとしてもブロック部材に当接される。このため、セッティングブロックが消失した場合のガラスの移動量がブロック部材が設けられていない場合より小さくなる。このため、セッティングブロックの消失等によりガラスが移動しても、隙間が生じたり、ガラスが外れることを防止することが可能である。
【００１１】
かかる樹脂製建具であって、前記ブロック部材と前記ガラスとの間に前記熱膨張性部材が設けられていることが望ましい。  
このような樹脂製建具によれば、ブロック部材とガラスとの間に設けられた熱膨張性部材が火炎の熱により膨張することにより、セッティングブロックの状態に拘わらずブロック部材とガラスとの間を膨張した熱膨張性部材にて塞ぐことが可能である。
【００１２】
かかる樹脂製建具であって、前記ガラスの室内または室外に臨む一方の面と対面する第１対面部を有し前記框体に固定される金属製の固定金具と、前記ガラスの室内または室外に臨む他方の面と対面する第２対面部を有し前記固定金具に係止される金属製の係止金具と、を有することが望ましい。  
このような樹脂製建具によれば、框体に固定された固定金具の第１対面部と、固定金具に係止される係止金具の第２対面部とにガラスが挟まれるので、火炎に晒されたとしてもガラスが脱落しにくい樹脂製建具を提供することが可能である。
【００１３】
かかる樹脂製建具であって、前記ガラスの端部と前記ブロック部材との間隔は、前記第１対面部または前記第２対面部と前記ガラスとが対面している部位における前記ガラス端部からの幅より小さいことが望ましい。  
このような樹脂製建具によれば、ブロック部材が設けられているので、セッティングブロックが火炎にて消失した際には、ガラスの端部とブロック部材との間隔に相当する距離だけガラスが移動する。セッティングブロックが火炎にて消失してガラスが移動する距離は、第１対面部及び第２対面部とガラスとが対面している部位におけるガラスの端部からの幅より小さいので、セッティングブロックが火炎にて消失したとしても、ガラスは第１対面部または第２対面部の対面している部位にて保持される。このため、樹脂製建具が火炎に晒されたとしても、ガラスが脱落することを防止することが可能である。
【発明の効果】
【００１４】
本発明によれば、火炎に晒されても貫通しにくい樹脂製建具を提供することが可能である。
【図面の簡単な説明】
【００１５】
【図１】本実施形態に係る樹脂製建具を室内側から見た外観図である。
【図２】本実施形態に係る樹脂製建具の縦断面図である。
【図３】本実施形態に係る樹脂製建具の縦断面図である。
【図４】障子上部の構成を説明するための縦断面図である。
【図５】セッティングブロック、移動防止ブロック、ガラス保持金具、熱膨張性黒鉛が設けられている様子を示す斜視図である。
【図６】図１におけるＡ−Ａ断面図である。
【図７】図１におけるＢ−Ｂ断面図である。
【図８】図１におけるＣ−Ｃ断面図である。
【図９】ガラス保持金具を説明するための斜視図である。
【発明を実施するための形態】
【００１６】
以下、本発明の一実施形態に係る樹脂製建具について図面を参照して説明する。  
本実施形態の樹脂製建具１は、図１に示すような開き窓用の樹脂製建具１であって、建物等にて室内外を連通する開口を形成する枠体１０と、枠体１０に支持されて開口を閉塞可能な障子２０とを有しており、障子２０は見付け方向における一端側にて回動自在に枠体１０に支持され、他端側に開閉操作用のハンドル５を有している。本実施形態においては、室内側から見て左側にて上下の框が回動自在に支持されており、障子の右側の框にハンドル５が設けられている。
【００１７】
以下の説明においては、樹脂製建具１を室内側から見たときに、上下となる方向を上下方向、左右となる方向を左右方向または見付け方向、室内外方向である奥行き方向を見込み方向として示す。また、枠体１０を構成する枠部材１２及び障子２０の框体２１を構成する框部材２２については、矩形状に枠組みされた枠体１０及び框体２１の状態にて、枠体１０及び框体２１に囲まれた内周側を内側、枠体１０及び框体２１の外周側を外側として示す。例えば、上側の枠部材１２及び框部材２２であれば、上面側を外側、下面側を内側として示す。
【００１８】
枠体１０は、上下に配置される横枠１０ａ、１０ｂと左右に配置される縦枠１０ｃ、１０ｄとが枠組みされて形成されている。上下の横枠１０ａ、１０ｂ及び左右の縦枠１０ｃ、１０ｄは、樹脂製の押出成形部材であり、同一の枠部材１２が所定の長さに切断されて形成されている。このため、横枠１０ａ、１０ｂ及び縦枠１０ｃ、１０ｄの断面形状は同一であり、横枠１０ａ、１０ｂ及び縦枠１０ｃ、１０ｄの端部が４５度に切断され、横枠１０ａ、１０ｂの端部と縦枠１０ｃ、１０ｄの端部とが突き合わされて接合されることにより枠体１０を構成している。
【００１９】
枠部材１２は、図２〜図３に示すように、長手方向に連通する中空部材であり、内部に金属製の補強部材７が設けられた枠本体部１３と、枠組みされた枠体１０の状態にて、枠本体部１３の室内側の部位から障子２０側、すなわち枠体１０の内側に突出された枠内側突出部１４と、枠本体部１３から室外側に向かって突出された室外側突出部１５と、を有している。  
枠内側突出部１４の室外に臨む面１４ａの先端側には、樹脂製のシール材８が設けられている。
【００２０】
障子２０は、上下に配置される横框２１ａ、２１ｂと左右に配置される縦框２１ｃ、２１ｄとが枠組みされた框体２１と、框体２１にて囲まれた領域内に取り付けられるガラス５０と、框体２１とともにガラス５０の周端部を保持する押縁６と、を有している。  
ガラス５０は、２枚のガラス板としての２枚の耐熱強化ガラス５１を対面させるとともに互いに間隔を隔てて一体に形成した複層ガラスである。複層ガラスの周端部には、２枚の耐熱強化ガラス５１の間隔を保持するためのスペーサー５４が介在され、スペーサー５４の外周部分にシール部材としてのシール剤５２が充填されている。
【００２１】
框体２１の上下の横框２１ａ、２１ｂ及び左右の縦框２１ｃ、２１ｄは、樹脂製の押出成形部材であり、同一の框部材２２が所定の長さに切断されて形成されている。このため、横框２１ａ、２１ｂ及び縦框２１ｃ、２１ｄの断面形状は同一であり、横框２１ａ、２１ｂ及び縦框２１ｃ、２１ｄの端部が４５度に切断され、横框２１ａ、２１ｂの端部と縦框２１ｃ、２１ｄの端部とが突き合わされて接合されることにより框体２１を構成している。
【００２２】
框部材２２は、長手方向に連通する中空部材であり、図４に示すように、大小２つの中空部を有し、大きな中空部２３ｂの内部に金属製の補強部材７が設けられた框本体部２３と、枠組みされた框体２１の状態にて、框本体部２３の室外側の部位からガラス５０側、すなわち框体２１の内側に突出された框内側突出部２４と、框本体部２３の室外側の部位から枠体１０側、すなわち框体２１の外側に突出された框外側突出部２５と、框本体部２３から室内側に向かって突出された室内側突出部２６と、を有している。  
框外側突出部２５の室内に臨む部位２５ａの先端側には、樹脂製のシール材８が設けられている。
【００２３】
補強部材７は、框部材２２の長手方向に沿って設けられる棒状の部材であり、断面が「コ」字状をなしている。「コ」字状をなす補強部材７の対面する２つの壁部７ａと、２つの壁部７ａを繋ぐ底部７ｂは、框本体部２３の中空部２３ｂにおける外周側面のほぼ半分の領域２３ｃ、内周側面２３ｄ、及び屋外側面２３ｅと僅かに間隔を隔てて対向するとともに外周側面のほぼ半分の領域２３ｃ、内周側面２３ｄ、及び屋外側面２３ｅとの間に、シート状の熱膨張性部材としての熱膨張性黒鉛９が介在されており、外周側面の残りほぼ半分の領域２３ｆは壁部７ａに当接され、対面する２つの壁部７ａと外周側面の当接されたほぼ半分の領域２３ｆ及び内周側面２３ｄがビス止めされている。ここで、熱膨張性黒鉛９は、加熱されると膨張するが、膨張した後の熱膨張性黒鉛９は他の部材を支持するような剛性及び強度を有していない部材である。
【００２４】
框内側突出部２４は、ガラス５０の周端部と対向し、押縁６とともにガラス５０の周端部を狭持する部位であり、框内側突出部２４の室内側に臨む面２４ａ、すなわちガラス５０と対向する部位にビード５３が設けられている。室内側突出部２６の内周側の部位には、押縁６が嵌合される押縁嵌合部２６ａが設けられている。このため、框本体部２３、框内側突出部２４、及び、押縁６にて形成される凹部が、ガラス５０の周端部が収容される収容部２０ａとなる。
【００２５】
障子２０の収容部２０ａには、図５に示すように、ガラス５０の面内方向の移動を規制するためのセッティングブロック３０、セッティングブロック３０が消失したときにガラス５０の移動を抑えるためのブロック部材としての移動防止ブロック３２と、ガラス５０が外れることを防止するためのガラス保持金具５５と、框内側突出部２４の室内側に臨む面２４ａ及び框本体部２３の内側に臨む内側面２３ａに貼り付けられた熱膨張性黒鉛９とが設けられている。
【００２６】
セッティングブロック３０は、直方体状をなす樹脂製の部材であり、樹脂製建具１を室内側から見たときに、図１に示すように、右上のコーナー部と左下のコーナー部とに接着されている。具体的には、上側の横框（上框）２１ａの右端側と右側の縦框（右框）２１ｄの上端側、及び、下側の横框（下框）２１ｂの左端側と左側の縦框（左框）２１ｃの下端側にそれぞれ、框本体部２３の内側面２３ａとガラス５０の端部との間に介在されている。
【００２７】
下框２１ｂとガラス５０との間に設けられたセッティングブロック３０は、見込み方向の幅がガラス５０の厚みより広く形成されており、図６に示すように、ガラス５０が有する２枚の耐熱強化ガラス５１がいずれも載置されている。上框２１ａ、左框２１ｃ、右框２１ｄとガラス５０との間に設けられたセッティングブロック３０は、見込み方向の幅がガラス５０の厚みより狭く形成されており、図７に示すように、ガラス５０が有する２枚の耐熱強化ガラス５１のうちの１枚の端部と当接している。
【００２８】
移動防止ブロック３２は、直方体状をなす金属製の部材であり、下框２１ｂに設けられたセッティングブロック３０と見付け方向に並べて、セッティングブロック３０より下框２１ｂの端部側に、また、右框２１ｄに設けられたセッティングブロック３０と上下方向に並べて、セッティングブロック３０より下側に配置され、框本体部２３に収容された補強部材７にビス止めされている。
【００２９】
移動防止ブロック３２は、図６に示すように、見込み方向の幅が下框２１ｂ側に設けられたセッティングブロック３０の幅とほぼ同じ幅に形成されており、下框２１ｂ側に設けられた移動防止ブロック３２は、ガラス５０が降下した際にはガラス５０が有する２枚の耐熱強化ガラス５１がいずれも載置可能に形成されている。
【００３０】
また、移動防止ブロック３２の厚み、すなわち、ガラス５０と対向する面３２ａと框本体部２３の内側面２３ａとの距離は、セッティングブロック３０厚み、すなわち、ガラス５０端面５０ａと框本体部２３の内側面２３ａとの距離より短く形成され、移動防止ブロック３２の上面には熱膨張性黒鉛９が設けられている。そして、セッティングブロック３０が火炎等にて溶融したり消失しない状態では、移動防止ブロック３２上に設けられた熱膨張性黒鉛９の上面がセッティングブロック３０の上面より框本体部２３側に位置しており、移動防止ブロック３２上の熱膨張性黒鉛９とガラス５０の端面５０ａとが接触しないように構成されている。
【００３１】
ガラス保持金具５５は、図８、図９に示すように、框部材に固定される固定金具５６と、固定金具５６に設けられた係止部５６ａに係止される係止金具５８とが対をなして構成され、上框２１ａ及び下框２１ｂとガラス５０との間にそれぞれ２つずつ、左框２１ｃ及び右框２１ｄとガラス５０との間にそれぞれ５つずつ設けられている。
【００３２】
上框２１ａ及び下框２１ｂとガラス５０との間には、見付け方向の中央から割り振られて左右に１つずつ配置され、左框２１ｃ及び右框２１ｄとガラス５０との間には、上下方向におけるほぼ中央に１つと上下に２つずつほぼ均等な間隔にて配置されている。以下、ガラス保持金具５５の説明は、ガラス保持金具５５が下框２１ｂに取り付けられた状態にて、上下となる方向を上下方向とし、室内外方向となる方向を見込み方向として説明する。このため、例えば、以下のガラス保持金具５５の説明において上方は框体２１の内側方向に相当し、下方は框体２１の外側方向に相当する。
【００３３】
下框２１ｂに固定された固定金具５６は、框部材２２の長手方向に間隔を隔てて配置され框部材２２における框本体部２３の内側面２３ａに当接される２つの座板部５６ｂと、２つの座板部５６ｂにおける見込み方向の室外側の縁同士を繋ぎ座板部５６ｂとほぼ直角をなす第１対面部としての側壁部５６ｃと、２つの座板部５６ｂの間に設けられ側壁部５６ｃから見込み方向において室内側に突出された平板部５６ｄと、を有している。また、側壁部５６ｃの室内側の面には、熱膨張性黒鉛９が貼り付けられている。
【００３４】
座板部５６ｂには、固定金具５６を框部材２２に固定するためのビスが貫通される固定孔５６ｅが形成されている。平板部５６ｄは、座板部５６ｂとほぼ平行に形成され、固定金具５６が框部材２２に固定された際に、座板部５６ｂより上方、すなわち内側面２３ａから上方に離れた側に位置するように形成されている。座板部５６ｂと平板部５６ｄとは上下方向において重ならないように形成されるとともに、座板部５６ｂの上面と平板部５６ｄの下面との間には、係止金具５８が挿入可能な間隔を有している。また、平板部５６ｄには、矩形状の貫通孔でなり係止金具５８を係止するための係止部５６ａが設けられている。
【００３５】
係止金具５８は、座板部５６ｂと平板部５６ｄとの間に挿入される挿入板部５８ａと、係止金具５８が固定金具５６に係止された際に側壁部５６ｃとほぼ平行な状態にてガラス５０と対向する第２対面部としての対向板部５８ｂと、対向板部５８ｂの下縁と挿入板部５８ａの室内側の縁とを連結し、対向板部５８ｂ及び挿入板部５８ａとのなす角度がほぼ４５度をなす連結部５８ｃと、挿入板部５８ａのほぼ中央に設けられ固定金具５６の係止部５６ａに係止される係止片５８ｄと、を有している。
【００３６】
係止片５８ｄは、室外側から室内側に向かって挿入板部５８ａから離れる方向に傾斜するように、挿入板部５８ａから切り起こされて形成されている。また、係止金具５８の上面には、挿入板部５８ａの係止片５８ｄより室内側の部位に熱膨張性黒鉛９が設けられている。
【００３７】
そして、框部材２２に固定金具５６が固定された状態にてガラス５０がセッティングブロック３０に載置された後に、係止金具５８の挿入板部５８ａが座板部５６ｂと平板部５６ｄとの間に挿入されて係止金具５８が係止される。このとき挿入板部５８ａが挿入されて係止片５８ｄが平板部５６ｄと接触し、さらに係止金具５８を固定金具５６側に押圧することにより係止片５８ｄが下方に押されて弾性変形しつつ挿入板部５８ａが座板部５６ｂと平板部５６ｄとの間に進入していく。
【００３８】
その後、係止片５８ｄが係止部５６ａの下に至ると、押し曲げられていた係止片５８ｄが弾性により復帰して係止部５６ａに係止される。このように係止金具５８が固定金具５６に、係止された状態にて、固定金具５６の側壁部５６ｃがガラス５０の室外側の面と対面し、係止金具５８の対向板部５８ｂがガラス５０の室内側の面と対面して、ガラス５０が保持される。
【００３９】
ガラス５０がガラス保持金具５５に保持された状態では、側壁部５６ｃがガラス５０の室外側の面と対面している掛かり代Ｌ２、または、係止金具５８の対向板部５８ｂがガラス５０の室内側の面と対面している掛かり代Ｌ３のいずれか小さい方が、セッティングブロック３０に載置されたガラス５０の端面と移動防止ブロック３２のガラス５０との対向面との間隔Ｌ１より大きくなるように構成されている。ここで、掛かり代とは、ガラス５０の端面５０ａとガラス５０と対面している側壁部５６ｃまたは対向板部５８ｂのガラス５０の中央側の縁５６ｆ、５８ｅとの距離を示している。
【００４０】
熱膨張性黒鉛９は、例えば、幅が約２５ｍｍの帯状の部材であり、図５〜図８に示すように、框本体部２３の内側面２３ａにおける室外側の約３／４の領域及び框内側突出部２４の室内側に臨む部位においてビード５３が設けられていない部位に敷き詰めるように貼り付けられている。下框２１ｂに設けられたセッティングブロック３０は、ガラス５０を支持するために見込み方向の幅が広く形成されているが、上框２１ａ、左框２１ｃ、右框２１ｄに設けられたセッティングブロック３０は見込み方向の幅が狭いため、熱膨張性黒鉛９が下框２１ｂ側より幅広く設けられている。このとき、上框２１ａ、左框２１ｃ、右框２１ｄに設けられたセッティングブロック３０には、ガラス５０が有する２枚の耐熱強化ガラス５１のうちの一方のみが当接されており、セッティングブロック３０と見込み方向に隣接して設けられている熱膨張性黒鉛９は、２枚の耐熱強化ガラス５１の間に充填されたシール剤５２と対面するように設けられている。
【００４１】
このように、内側面２３ａにおける室外側の約３／４の領域及び框内側突出部２４の室内側に臨む部位に熱膨張性黒鉛９を設けることにより、移動防止ブロック３２や係止金具５８に設けられた熱膨張性黒鉛９とともに、框体２１の繋がった収容部２０ａ内に全周に亘って熱膨張性黒鉛９が設けられている。
【００４２】
上記枠部材１２が枠組みされた枠体１０に、上記框部材２２が枠組みされた框体２１が支持されて、障子２０が閉じられると、枠体１０の枠内側突出部１４に設けられたシール材８に、框体２１における框本体部２３の室内側の面２３ｇが全周に亘って当接され、框体２１の框外側突出部２５に設けられたシール材８に、枠体１０における枠本体部１３の室外側の面１３ａが全周に亘って当接されて、枠体１０にて形成されている開口が閉塞される。
【００４３】
本実施形態の樹脂製建具１によれば、框体２１とガラス５０との間には全周に亘って熱膨張性黒鉛９が設けられているので、障子２０がガラス５０の室内側または室外側が火炎に晒されて火炎の熱により障子２０の樹脂製の部位が変形または消失したとしても、熱膨張性黒鉛９が火炎の熱により框体２１とガラス５０との間にて全周に亘って膨張するのでガラス５０の室内側または室外側とガラス５０の反対側とが貫通することを防止することが可能である。
【００４４】
また、上框２１ａ、左框２１ｃ、右框２１ｄに設けられたセッティングブロック３０は２枚の耐熱性強化ガラス５１の一方に当接されており、熱膨張性黒鉛９は２枚の耐熱性強化ガラス５１の間に設けられたシール剤５２と対向している。このため、２枚の耐熱性強化ガラス５１が一体となった複層ガラスの位置を規制しつつ、熱膨張性黒鉛９が膨張した際には、少なくとも上框２１ａ、左框２１ｃ、右框２１ｄの収容部２０ａに収容されたガラス５０のシール剤５２が露出している部位を、膨張した熱膨張性黒鉛９にて覆うことが可能である。このため、火炎がシール剤５２に到達しないのでシール剤５２が加熱されにくく、シール剤５２からの可燃ガスの発生を防止し、燃焼が促進されることを抑えることが可能である。
【００４５】
また、上框２１ａ、左框２１ｃ、右框２１ｄに設けられたセッティングブロック３０は、下枠２１ｂに設けられたセッティングブロック３０より見込み方向の幅が狭く形成され、また、熱膨張性黒鉛９が見込み方向に並べて設けられている。このため、下框２１ｂに設けられたセッティングブロック３０のようにガラス５０の重さを支持する必要がない部位では、熱膨張性黒鉛９が幅広く設けられているので、熱膨張性黒鉛９が膨張することにより、火炎に晒されても框体２１とガラス５０との間がより貫通し難い樹脂製建具１を提供することが可能である。
【００４６】
また、セッティングブロック３０と見付け方向に並べて配置されている金属製の移動防止ブロック３２は、ガラス５０がセッティングブロック３０に支持された状態で、２枚の耐熱性強化ガラス５１の端部と互いに間隔を隔てて対向しているので、通常では移動防止ブロック３２は耐熱性強化ガラス５１に当接されない。このため、通常の状態では、セッティングブロック３０にてガラス５０の位置を規制して適切な位置にガラス５０を配置することが可能である。
【００４７】
また、セッティングブロック３０は樹脂製なので、火炎の熱により変形したり消失する虞があるが、金属製の移動防止ブロック３２がセッティングブロック３０と見付け方向に並べて設けられているので、セッティングブロック３０が消失したとしてもガラス５０は移動防止ブロック３２に当接されるため、移動防止ブロック３２が設けられていない場合よりガラス５０の移動量が小さくなる。このため、セッティングブロック３０が火炎の熱により変形したり消失した場合であっても、ガラス５０が移動して隙間が生じたり、框体２１から外れることを防止することが可能である。
【００４８】
また、移動防止ブロック３２とガラス５０との間には熱膨張性黒鉛９が設けられているので、移動防止ブロック３２とガラス５０との間に設けられた熱膨張性黒鉛９が火炎の熱により膨張することにより、セッティングブロック３０の状態に拘わらず移動防止ブロック３２とガラス５０との間を膨張した熱膨張性黒鉛９にて塞ぐことが可能である。
【００４９】
また、ガラス５０は框体２１に固定された固定金具５６の側壁部５６ｃと、固定金具５６に係止される係止金具５８の対向板部５８ｂとに挟まれているので、火炎に晒されたとしてもガラス５０が脱落しにくい樹脂製建具１を提供することが可能である。
【００５０】
また、移動防止ブロック３２が設けられているので、例えば下框２１ｂに設けたセッティングブロック３０が熱にて消失した際に、ガラス５０が移動する距離はガラス５０の端面と移動防止ブロック３２との間隔に相当するが、ガラス５０が移動する距離Ｌ１は、ガラス５０の端面５０ａとガラス５０と対面している側壁部５６ｃまたは対向板部５８ｂのガラス５０の中央側の縁５６ｆ、５８ｅとの幅の短い方Ｌ２より短いので、セッティングブロック３０が火炎にて消失したとしても、ガラス５０上端部が上框２１ａに設けられたガラス保持金具５５から外れて脱落することを防止することが可能である。
【００５１】
上記実施形態のいては、熱膨張性部材を帯状の熱膨張性黒鉛９としたが、熱により膨張し、難燃性または不燃性の部材であれば構わず、また、形状も帯状に限るものではない。
【００５２】
上記実施形形態においては、セッティングブロック３０及び移動防止ブロック３２を、室内側から障子２０を見て右上のコーナー部と左下のコーナー部とに設けた例について説明したが、これに限るものではなく、例えば、左上のコーナー部と右下のコーナー部とに設けても構わない。
【００５３】
上記実施形態においては、開き窓用の樹脂製建具１を例に挙げて説明したが、これに限らず、引き違い窓や片引き窓および上げ下げ窓などのスライド形式の窓や、嵌殺し窓などの枠体が形成する開口を閉塞可能な障子を備えた樹脂製建具１であれば構わない。
【００５４】
上記実施形態においては、ガラスとして複層ガラスを用いた例について説明したが、単板状のガラスや合わせガラスなどであっても構わない。
【００５５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５６】
１  樹脂製建具、９  熱膨張性黒鉛、１０  枠体、２０  障子、２１  框体、
２１ａ  上框（横框）、２１ｂ  下框、２１ｃ  左框（縦框）、２１ｄ  右框、
３０  セッティングブロック、３２  移動防止ブロック、５０  ガラス、
５１  耐熱強化ガラス、５２  シール剤、５５  ガラス保持金具、５６  固定金具、
５６ａ  係止部、５６ｃ  側壁部、５８  係止金具、５８ｂ  対向板部、
５８ｄ  係止片
【図１】
2010248836.tif 000003
【図２】
2010248836.tif 000004
【図３】
2010248836.tif 000005
【図４】
2010248836.tif 000006
【図６】
2010248836.tif 000007
【図７】
2010248836.tif 000008
【図８】
2010248836.tif 000009
【図９】
2010248836.tif 000010
【図５】
2010248836.tif 000011